(57)【要約】【課題】遊技領域の横幅方向への拡大を可能とし、さらに前面枠の製作コストの低減化を図る。【解決手段】ほぼ中央が開口した額縁状に成形された前面枠３を機枠２に開閉自在に装着し、前記前面枠３の裏面自由端側に設けられた施錠装置５の鉤片５８が機枠２に係止することにより該前面枠３が閉止状態に施錠され、前記前面枠３の開口に臨むように遊技盤１０が装着されるパチンコ遊技機１において、前記遊技盤１０の上動を規制する上枠部１１ａと該遊技盤１０の下辺を支持する下枠部１１ｂとを前記前面枠３の開口周縁の後方に一体に成形し、前記施錠装置５の取付基板５１を前記上枠部１１ａの側端から下枠部１１ｂの側端に亘るように固着し、前記取付基板５１に前記遊技盤１０の一側辺を当接させるようにした。【選択図】図６
2005319032.tif 000002
【特許請求の範囲】
【請求項１】
ほぼ中央が開口した額縁状に成形された前面枠を機枠に開閉自在に装着し、前記前面枠の裏面自由端側に設けられた施錠装置の鉤片が機枠に係止することにより該前面枠が閉止状態に施錠され、前記前面枠の開口に臨むように遊技盤が装着されるパチンコ遊技機において、
前記遊技盤の上動を規制する上枠部と該遊技盤の下辺を支持する下枠部とを前記前面枠の開口周縁の後方に一体に成形し、前記施錠装置の取付基板を前記上枠部の側端から下枠部の側端に亘るように固着し、前記取付基板に前記遊技盤の一側辺を当接させるようにしたことを特徴とするパチンコ遊技機。
【請求項２】
前記取付基板に前記遊技盤の前面又は後面のいずれかを支持する支持片を曲折して設けたことを特徴とする請求項１記載のパチンコ遊技機。
【請求項３】
前記取付基板に前記遊技盤の側面を弾力的に押圧する弾性片を設けたことを特徴とする請求項１又は２記載のパチンコ遊技機。
【発明の詳細な説明】
【技術分野】
【０００１】
本発明は、前面枠に遊技盤が装着されるパチンコ遊技機に関するものである。
【背景技術】
【０００２】
パチンコ機，アレンジボール機，通称「パロット」といわれる回動式遊技機等のようにパチンコ球を使用して遊技するパチンコ遊技機は、矩形状の機枠に一側をヒンジ機構により軸支した前面枠が開閉自在に装着され、前面枠の後面ほぼ中央に合成樹脂により一体に成形される保持枠を介して遊技盤が着脱自在に設けられている。そして、前面枠の自由端は保持枠の側方に位置した施錠装置により機枠に対して閉鎖保持するようにしている（例えば、特許文献１参照。）。
【０００３】
また、パチンコ機には、遊技盤のほぼ中央部に複数種類の図柄を変動させる表示器を備えた可変表示装置が設けられている。そして、その可変表示装置によって、表示器の図柄の背景を変えてリーチ予告をしたり、表示器の表示がリーチ状態になったとき、キャラクタを登場させたりして遊技の興趣を盛り上げようとしていたが、すぐにマンネリ化して遊技者に飽きられてしまい、期待する程の効果がなかなか上がらなかった。そこで、表示器を大型化して表示内容の複雑化，多様化に対応させるようにした可変表示装置を備えたパチンコ機が提案されている（例えば、特許文献２参照。）。
【特許文献１】特許第２５５１８８０号公報
【特許文献２】特開平１０−２７７２２１号公報
【発明の開示】
【発明が解決しようとする課題】
【０００４】
しかしながら、特許文献１記載のパチンコ遊技機のように、前面枠と保持枠とを合成樹脂により一体成形する場合、前面枠の軽量化を図りしかも充分な強度を確保するために、全体を肉薄にしてリブ等により補強しなければならず、金型が複雑となりコスト高の要因となっている。また、前面枠及び保持枠を肉薄にすると成形時にヒケや反りが発生し易く、遊技盤を保持する保持枠の内寸を一定にすることができず、内寸のばらつきにより遊技盤が保持枠に確実に保持されず、がたつきの原因となり遊技に支障をきたす問題があった。
【０００５】
また、特許文献２記載のように、表示器を大型化することにより遊技性は増すものの、パチンコ球の流下範囲が可変表示装置の僅かな側方に限られてしまい、パチンコ球の流下態様が一定となり面白みに欠けるものとなっている。そのため、少しでも遊技領域を遊技盤の幅方向に大きくしてパチンコ球の流下範囲を広げようとしているが、施錠装置が保持枠の側方に設けられていることにより保持枠を移動させることができず、遊技領域を遊技盤の幅方向に大きくすることができなかった。
【０００６】
そこで、本発明は、上記課題を解決するべく提案されたものであって、遊技盤の一側を施錠装置の取付基板に当接させることにより、遊技領域の横幅方向への拡大を可能としたパチンコ遊技機を提供しようとするものであり、さらに前面枠の製作コストの低減化を図ることを目的としている。
【課題を解決するための手段】
【０００７】
そこで、上記課題を解決するために、請求項１記載の発明は、ほぼ中央が開口した額縁状に成形された前面枠を機枠に開閉自在に装着し、前記前面枠の裏面自由端側に設けられた施錠装置の鉤片が機枠に係止することにより該前面枠が閉止状態に施錠され、前記前面枠の開口に臨むように遊技盤が装着されるパチンコ遊技機において、前記遊技盤の上動を規制する上枠部と該遊技盤の下辺を支持する下枠部とを前記前面枠の開口周縁の後方に一体に成形し、前記施錠装置の取付基板を前記上枠部の側端から下枠部の側端に亘るように固着し、前記取付基板に前記遊技盤の一側辺を当接させるようにしたことを特徴とする。
【０００８】
請求項２記載の発明は、請求項１記載の発明において、前記取付基板に前記遊技盤の前面又は後面のいずれかを支持する支持片を曲折して設けたことを特徴とする。
【０００９】
請求項３記載の発明は、請求項１又は２記載の発明において、前記取付基板に前記遊技盤の側面を弾力的に押圧する弾性片を設けたことを特徴とする。弾性片は取付基板を切起こして設けるのが好ましい。また、弾性片が当接する遊技盤の側面個所を切削して凹欠きを形成し、該凹欠き部に弾性片が嵌ることで遊技盤の上動を規制するようにしてもよい。
【００１０】
前記取付基板に遊技盤の前面又は後面のいずれかに係脱し、遊技盤を固定保持する固定具を可動自在に設けるのが好ましく、該遊技盤の固定具は回動又は摺動自在に設けられる。
【００１１】
前記取付基板に前記遊技盤保持枠の上枠部及び下枠部に重合する取付片を設けるのが好ましい。
【００１２】
前記遊技盤の裏面にヒンジ機構を介して機構板が開閉自在に設けられ、前記ヒンジ機構は遊技盤保持枠側に設けられる上下一対の固定ヒンジ部材を縦長の連結金具により一体的に設け、遊技盤保持枠の前面枠の軸支側の一側を開放して形成し、ヒンジ機構の連結金具を上部枠の側端から下部枠の側端に亘るように固着し、連結金具に遊技盤の一側辺を当接させるようにするのが好ましい。
【００１３】
前記連結金具に内側方が開放したコ字状の保持部を設け、遊技盤の一側を保持部で保持するようにするのが好ましく、保持部に遊技盤の前面又は後面の少なくともいずれか一方の面を押圧する弾性部材を設けて確実に遊技盤を挟着させるのがよい。
【００１４】
また、前記施錠装置は、前面枠の後面自由端側に固設される縦長の取付基板と、前記取付基板から前面枠の前面側に露呈するように設けられたシリンダ錠と、シリンダ錠の操作に連動して取付基板に沿って摺動する摺動杆とを備え、摺動杆には透明板扉枠と係脱する扉枠用突片と遊技盤を遊技盤保持枠に係止する遊技盤用突片とを設け、遊技盤用突片は係止部を備え遊技盤には該遊技盤用突片の係止部が係止される係受部を形成するのが好ましい。そして、扉枠用突片に係止部を設けると共に透明板扉枠に該扉枠用突片の係止部と係合する係受部を設け、遊技盤用突片の係止部と遊技盤の係受部の係止量を扉枠用突片の係止部と透明板扉枠の係受部の係止量より大きく設定するのがよい。すなわち、遊技盤用突片の係止部と遊技盤の係受部との係合深度と、扉枠用突片の係止部と透明板扉枠の係受部との係合深度を異ならせている。そして、遊技盤用突片は摺動杆を扉枠用突片の解錠方向と同一方向であり該扉枠用突片と透明板扉枠の係受部との解錠範囲を越して摺動操作させることにより連動して遊技盤の係受部との係合が解除され該遊技盤を遊技盤保持枠から取外すことができる。
【００１５】
前記遊技盤保持枠の開口周縁から開口の中心に向かって延出する支持部又は取付基板の支持片によって遊技盤の表面又は裏面のいずれかが支持され、支持部又は支持片と前記遊技盤用突片の係止部との間隔を遊技盤の厚みより大きく設定すると共に前記透明板扉枠に弾性を備えた押え部材を遊技盤の厚み方向に突設し、前記押え部材により前記遊技盤を押圧するようにするのが好ましい。
【００１６】
前記遊技盤用突片の係止部を面状に形成すると共に該係止部に遊技盤との接触摩擦抵抗を軽減する軽摩擦手段を設けるもが好ましい。ここでいう軽摩擦手段は、ローラ又はベアリング等である。
【００１７】
前記遊技盤用突片の先端にテーパー状のガイド部を形成するのがよく、遊技盤を遊技盤用突片に押さえつけることで係受部がガイド部に接触して、付勢部材の付勢に抗して摺動杆を摺動させ、遊技盤用突片を係受部に係合させることができる。また、ガイド部を面状に形成して遊技盤との接触面積を多くするのが好ましく、遊技盤用突片を遊技盤に係止しやすくすることができる。
【発明の効果】
【００１８】
本発明のパチンコ遊技機は、前面枠の自由端を施錠する施錠装置により遊技盤の一側方を保持するようにしたので、前面枠の成形が容易となり、遊技盤の遊技領域を横方向に広げることができる。
【実施例１】
【００１９】
以下に、本発明に係るパチンコ遊技機としてパチンコ機の実施例を図面を参照しつつ説明する。図１はパチンコ機の正面図、図２はパチンコ機の裏面図、図３は前面枠を開放した状態のパチンコ機の斜視図である。パチンコ機１は、機枠２の一側に上下一対のヒンジ機構により前面枠３が水平方向に開閉自在に軸支され、前面枠３の前面には透明板扉枠４が開閉自在に軸支され、前面枠３及び透明板扉枠４の開放側は施錠装置５により施錠される。そして、透明板扉枠４の下方には前板６を介して打球供給用の上部球受皿７及び該上部球受皿７から溢出するパチンコ球を貯留する下部球受皿８が取付けられて、その側方下部にはパチンコ球の弾発力を調節する操作ハンドル９が設けられている。また、前面枠３の後面ほぼ中央には遊技盤１０が着脱自在に装着され、その裏面には、遊技盤１０のほぼ全体を覆うように、ヒンジ機構１３を介して合成樹脂製の機構板１２が開閉自在に装着されている。
【００２０】
前記機枠２は、図３に示すように上下左右の枠板により縦長の矩形に枠組され、その下部前面に補強用の腰板２ａが横設されており、前面枠３を閉じた状態で腰板２ａの上端面と前面枠３の下端面とが重合するように構成されている。そして、機枠２の右枠板２ｂ内側面の上下位置には前面枠３を閉止状態に係止する係受部としての受金具１４，１４が取付けられている。なお、下方に位置する受金具１４には、機構板１２の後面側への撓みを防止する押え片１４ａが機枠２内面に突出するように金属片をほぼＺ状に屈曲して設けられている。そして、押え片１４ａは、前面枠３の閉鎖時に機構板１２の周縁後面に当接して機構板１２の撓みを防止する。また、機枠２の上枠板２ｃには前記押え片１４ａと同様に、前面枠３の閉鎖時に機構板１２の周縁に当接し該機構板１２のパチンコ球等の重量による後面側への撓みを防止する押え部材７７が設けられている。
【００２１】
前記透明板扉枠４は、図１及び図４に示すように透明板としてのガラス板１５を介して遊技盤１０が視認できるように額縁状に形成されており、枠体１６と該枠体１６の前面に取付けられる装飾カバー体１７とにより大略構成される。そして、枠体１６の裏面側には上方が開放したコ字形の保持枠材１８が取付けられ、該保持枠材１８にはガラス板１５が嵌るガラス挿入溝１８ａが複数設けられている。また、透明板扉枠４の自由端側の枠体１６に、後述する施錠装置５により透明板扉枠４を閉止する係受部としての係止孔２０が設けられると共に、枠体１６の適宜位置に遊技盤１０を厚み方向に押圧する押え部材２１を設けている。本実施例では、押え部材２１は、図９に示すように筒体に押圧突体がスプリングの付勢により進退自在に設けられている。なお、押え部材２１は、スプリング，板ばね単体であってもゴム，弾発性を有する樹脂片であってもよい。また、押え部材２１を複数箇所に設けて遊技盤１０を確実に固定するのが好ましい。なお、透明板扉枠４の係受部は係止孔２０に限定されるものではなく、保持枠材１８の側方に係止片を設けるようにしてもよい。
【００２２】
前記前面枠３は、ＡＢＳ樹脂等の合成樹脂によりほぼ中央が開口した額縁状に形成され、開口縁から後方に突出するように遊技盤１０を保持する設置領域２２が形成される遊技盤保持枠１１が、一体に成形されている。遊技盤保持枠１１は、図５に示すように少なくとも遊技盤１０の上部が当接し該遊技盤１０の上動を規制する上枠部１１ａと、遊技盤１０の下辺を支持する箱枠状の下枠部１１ｂとを有し、本実施例では左右両側を開放して形成している。そして、前面枠３を裏面側から見て開放した右側を閉鎖するように上枠部１１ａから下枠部１１ｂに亘って機構板１２のヒンジ機構１３が設けられ、開放した左側には上枠部１１ａから下枠部１１ｂに亘って施錠装置５が設けられる。また、下枠部１１ｂの前面には、図４に示すように発射レール２６及びファール球樋２７が設けられている。このように、遊技盤保持枠１１を少なくとも上枠部１１ａ及び下枠部１１ｂを有して側方が開放するように成形することで、前面枠３の成形時のヒケや反りによる遊技盤保持枠１１の内寸法の誤差が発生することはなく、金型を簡素化して安価にすることができる。なお、上枠部１１ａ及び下枠部１１ｂは、それぞれの両端にほぼ９０度に折曲した折り返し片を設け、上枠部１１ａ及び下枠部１１ｂを補強するようにしてもよい。
【００２３】
前記遊技盤１０は、図４に示すように所定厚さを有する方形状に形成され、遊技盤１０の前面に発射レール２６から発射された遊技球を案内するガイドレール２５によりほぼ円形の遊技領域１０ａが形成され、該遊技領域１０ａのほぼ中央に可変表示装置３０が設けられ、その周囲に一般入賞口２９や可変表示装置３０の図柄を変動させるチューリップタイプの始動入賞口３１、また可変表示装置３０が所定の図柄で停止することにより開放する大入賞口３２等が設けられている。また、遊技盤１０の一側（図上遊技盤１０を正面視して右側）の上下に係受部２８が切欠きして形成され、後述する遊技盤１０の係止手段が係受部２８に係止するようにしている。なお、係受部２８は切欠きに限らず開口として形成してもよい。
【００２４】
また、前記機構板１２は、前面枠３と同側をヒンジ機構１３により軸支して着脱開閉自在に装着され、自由端側に図６に示すように機構板１２を閉止する係受部としての係合孔３４を設け、施錠装置５により開放側を施錠するようにしている。そして、遊技盤１０の裏面と相対する位置に可変表示装置３０の後面が臨む開口窓部３５が開設され、開口窓部３５の上側から右側にかけて、球タンク１９，球誘導樋２３，球払出装置２４等の裏機構部品が鉤状に連設され、開口窓部３５の下方には、球払出制御基板３６及び大型の基板ボックス３７が設けられる板状部材３８が開閉自在に設けられている。基板ボックス３７にはパチンコ機１全体の遊技動作を制御する遊技制御基板が収納されている。この実施例において、球誘導樋２３及び球払出装置２４はヒンジ機構１３の後面に位置して設けられている。換言すれば、球誘導樋２３及び球払出装置２４の前面側に位置して可動ヒンジ部材４０を設けることにより、図２に示すように機構板１２を機枠２の端縁近傍まで位置させることができ、その分従来の機構板に比して開口窓部３５を横方向に拡幅することができ、可変表示装置３０の大型化に対応することができる。
【００２５】
前記ヒンジ機構１３は、図１０乃至図１２に示すように前面枠３側に取着される上下固定ヒンジ部材３９と機構板１２側に取着される上下可動ヒンジ部材４０とにより構成されている。そして、上下固定ヒンジ部材３９は鋼やステンレス等の金属性の連結部材４１の上部及び下部に一体的に形成され、上下可動ヒンジ部材４０は合成樹脂により別体に形成され、機構板１２に形成された取着部４２に着脱自在に設けられている。この実施例において、固定ヒンジ部材３９には軸ピン４３が上向に突設され、可動ヒンジ部材４０には前記軸ピン４３に嵌挿される軸孔４４が開設されている。可動ヒンジ部材４０は、図１２に示すように上下に貫通する軸孔４４を有する軸筒と相対する側に挿入口４０ａを開設すると共に一側方を開放したコ字状空間を有し、コ字状空間内に係止爪を有する弾性係止片４０ｂを挿入口４０ａに向かって設けている。一方、取付部４２は可動ヒンジ部材４０のコ字状空間内に嵌挿される枠状に形成され、可動ヒンジ部材４０の係止片４０ｂが係止する段状の係止部４２ａを備えている。そして、可動ヒンジ部材４０の挿入口４０ａを取付部４２に嵌挿して係止片４０ｂを係止部４２ａに係止させることで、機構板１２に可動ヒンジ部材４０を取付けることができる。可動ヒンジ部材４０を機構板１２と同じ樹脂製とすることにより、パチンコ機１を廃棄処理する際に機構板１２から可動ヒンジ部材４０を分別する必要がないため、廃棄処理が簡単となり手間がかかることがない。また、度重なる機構板１２の開閉により可動ヒンジ部材４０が摩耗したり破損したりした場合には、係止片４０ｂと係止部４２ａとの係合を解除して可動ヒンジ部材４０を外すことができ簡単に新しい可動ヒンジ部材４０と交換することができる。このため、可動ヒンジ部材４０を機構板１２と一体に成形した場合のように機構板１２全体を交換したりすることがないので経済的である。なお、ヒンジ機構１３は、この実施例に限ることなく、固定ヒンジ部材３９に軸孔４４を設け、可動ヒンジ部材４０に軸ピン４３を下向きに突設するようにしてもよい。また、前記板状部材３８のヒンジにも該可動ヒンジ部材４０が使用されており、可動ヒンジ部材４０の共有化によりコストの低減化を図ることができる。
【００２６】
前記連結部材４１は、図１０に示すように遊技盤保持枠１１の上枠部１１ａの側端と下枠部１１ｂの側端とに亘って固着される縦長の取着板４５と遊技盤１０の後面を支持する支持部としての帯状の支持板４６とにより断面Ｌ字型に形成されている。連結部材４１は、取付板４５の上下端を折曲して遊技盤保持枠１１の上枠部１１ａ及び下枠部１１ｂの上下端に重合し、連結部材４１を前面枠３に取付ける取着片４５ａを形成している。そして、取着板４５には、遊技盤保持枠１１に保持される遊技盤１０の前面に対応して、支持板４６と共に連結部材４１が平面視してコ字状になるように屈曲片４７により遊技盤１０の保持部７５が形成され、該屈曲片４７に遊技盤１０の前面を押圧する弾性片４８がビス着又は溶着により設けられている。弾性片４８は、図１１に示すように０．８〜１．０ｍｍの厚さの金属板を鋭角に曲折すると共に、先端を逆方向に曲折して傾斜状のガイド面となるように断面略変形Ｚ状に形成され、弾性片４８の折曲先端は、屈曲片４７の端部より内方に位置して設けられている。また、連結部材４１には、固定ヒンジ部材３９に対応位置して、可動ヒンジ部材４０が接触し、軸ピン４３の軸線が軸孔４４内に位置するように位置決めするガイド部４９が、固定ヒンジ部材３９と所定間隔（軸ピン４３の長さ以下）を隔てて設けられ、ガイド部４９と連結部材４１の支持板４６とで形成されるＬ字型のコーナー部に、可動ヒンジ部材４０を当接させることにより軸孔４４と軸ピン４３の位置決めがなされ、ガイド部４９に沿って機構板１２を下動させることにより、機構板１２を前面枠３に簡単に軸支することができる。特に、本実施例のように球払出装置２４等の裏機構部品の裏面側に可動ヒンジ部材４０が設けられている場合には、固定ヒンジ部材３９との位置合せがし難くいため、ガイド部４９を設けることにより簡単に位置決めができ効果的である。なお、下方のガイド部４９には機枠２の後面又は機枠２に形成される係合部に係止するＬ型の係止片５０を延設している。この係止片５０は、前面枠３の軸支側を手前に引張って撓ませてその隙間から針金等の不正具を挿入して行われる不正行為を防止するためのもので、前面枠３を機枠２に対して閉鎖した際に係止片５０が機枠２の後面に係止して、前面枠３を撓ませようとしても機枠２と前面枠３との間に隙間ができないようにしている。そして、連結部材４１は、取付板４５の取着片４５ａを遊技盤保持枠１１の上部枠１１ａと下部枠１１ｂとの側端に重合させてビス着することにより取付けられる。
【００２７】
前記施錠装置５は、図８及び図９に示すように前面枠３の後面自由端側であり、遊技盤保持枠１１の上枠部１１ａの側端と下枠部１１ｂの側端とに亘って固設される縦長の取付基板５１と、前面枠３の前面側に錠孔が露呈するように取付けられるシリンダ錠５２と、シリンダ錠５２の錠軸に固着されるカム板５３と、カム板５３に連動して取付基板５１の長手方向に沿って摺動する摺動杆とで構成されている。本実施例の摺動杆としては、前面枠３を開閉するための施錠杆５４と透明板扉枠４を開閉するための作動杆５５とを備え、弾性部材としてのスプリング５６，５７によって施錠杆５４及び作動杆５５をそれぞれ施錠方向に付勢している。取付基板５１は、遊技盤保持枠１１の側方に取付けられ施錠杆５４及び作動杆５５を装着する取付板５１ａと、前面枠３の裏面に沿って固着する補強板５１ｂと、遊技盤１０の後面を支持する支持部としての支持板５１ｃとをそれぞれ略直角に曲折して、クランク状に一体に成形される。そして、取付板５１ａは、上枠部１１ａ及び下枠部１１ｂの前面枠３裏面からの突出量とほぼ同じ幅員を有すると共に上枠部１１ａから下枠部１１ｂの上下端に亘る長さを有している。取付板５１ａの上下端には、遊技盤保持枠１１の上枠部１１ａ及び下枠部１１ｂの上下端に重合する取着片５１ｄがそれぞれ曲折して設けられ、取付板５１ａは正面コ字状に形成されている。また、取付板５１ａには遊技盤設置領域２２に臨む弾性片５１ｅが、シリンダ錠５２の上下に位置して支持板５１ｃ側に開放するように切り起こされており、遊技盤１０の側面を弾力的に押圧するようにしている。なお、弾性片５１ｅは、所定の弾性力を有し遊技盤５の側面を押圧し得る別途形成したものを溶接・カシメ着等して設けるようにしてもよく、さらに設置個所・個数に限定されるものではない。補強板５１ｂには、シリンダ錠５２を取付ける透孔が開設され、後述する透明板扉枠４を係止する扉枠用突片６０が挿入するためのスリットが取付板５１ａに沿って形成されている。さらに、施錠杆５４及び作動杆５５の摺動をガイドするガイド突部が、取着板５１ａから所定間隔を離して打込みにより適宜間隔で設けられている。また、補強板５１ｂ及び支持板５１ｃには、スプリング５６，５７，６７の一端を引っ掛ける掛止片が形成されている。なお、補強板５１ｂは、前面枠３の開口からの不正具の侵入を防止する働きをするが、必ずしも設けなければならないものではない。
【００２８】
前記施錠杆５４は、図８に示すように長板状に形成され、その上下部に機枠２に設けられる受金具１４に係止する鉤片として下向き鉤状の機枠用突片５８が後方に突出するように一体に形成され、機枠用突片５８の上部に機構板１２の係合孔３４に係脱する下向き鉤状の機構板用突片５９が設けられている。また、施錠杆５４のほぼ中間部にカム板５３が係合する係止段部６２が形成され、その上方に施錠杆５４を前面枠３の後面側で手により摺動させる操作部６３が後方に折曲して設けられている。そして、取付基板５１と施錠杆５４との間にスプリング５６を設け、施錠杆５４を常に機枠用突片５８及び機構板用突片５９の施錠方向である下方へ付勢するように、取付板５１ａの内側に所定の範囲で摺動自在に設けられている。機構板用突片５９は、取付基板５１に形成されるガイド長孔６４と施錠杆５４に形成される遊挿長孔６５とに頭付ピン６６を介して設けられ、スプリング６７により機枠用突片５８と同じ係止方向（下向き方向）に付勢している。常態では、図１６に示すように、頭付ピン６６がガイド長孔６４の下端に当接すると共に遊挿長孔６５の上端に当接するように設けられている。また、機枠用突片５８は、受金具１４との係合時に係合し易くするガイド傾斜面を設けた三角形状の先端部の後端に係合凹部５８ａを下向きとした鉤状に形成される。なお、機枠用突片５８，５８は、施錠杆５４に一体に設けることなく、施錠杆５４と別体に形成してスポット溶接等により施錠杆５４に一体的に固着するようにしてもよい。さらに、機枠用突片５８は、機構板用突片５９と同じように施錠杆５４に回動自在に軸支して設けるようにしてもよい。
【００２９】
また、前記作動杆５５は帯状金属により形成され、図８に示すようにその中間部の上下に位置して、透明板扉枠４の係止孔２０に係止する先端が上向き鉤状の扉枠用突片６０が前方に突出して形成され、扉枠用突片６０の上下に位置してほぼ作動杆５５の上下端に、遊技盤１０の係受部２８に係止する係止手段として遊技盤用突片６１が前方に突出して形成されている。また、作動杆５５には、補強板５１ｂと摺接し長孔が形成された接触片が折曲して設けられ、補強板５１ｂに固設される軸ピンを長孔に挿通することにより作動杆５５の摺動範囲を規制している。遊技盤用突片６１は、ほぼ平面コ字型に屈曲して先端が上向き鉤状に形成され、その先端鉤状部を図９に示すように遊技盤設置領域２２内に臨ませている。また、作動杆５５のほぼ中央にカム板５３が係合する凹欠係止部６８が形成され、その上方に作動杆５５を後方から手で操作する操作レバー６９が形成されており、弾性部材としてのスプリング５７により施錠方向である上方に付勢して、取付板５１ａの内側に所定の範囲で摺動自在に設けられている。
【００３０】
扉枠用突片６０及び遊技盤用突片６１は、該扉枠用突片６０及び遊技盤用突片６１の突出方向に対して交差する係止部６０ａ，６１ａを有しており、本実施例では突出方向とほぼ直交している。そして、その係止部６０ａ，６１ａの長さを異ならせることにより、扉枠用突片６０及び遊技盤用突片６１が透明板扉枠４及び遊技盤１０に係止する係止量が異なるように設定している。この実施例において、遊技盤用突片６１の係止部６１ａの長さが扉枠用突片６０の係止部６０ａの長さより長くなるようにしている。また、扉枠用突片６０と遊技盤用突片６１とはそれぞれ連動するが、透明板扉枠４の係止が解除されても、遊技盤１０の係止は解除されないようにしている。ここでいう「係止量」とは、係止部６０ａ，６１ａと係止孔２０，係受部２８との重なり度合いを示し、遊技盤用突片６１の係止部６１ａと遊技盤１０の係受部２８との係合深度及び扉枠用突片６０の係止部６０ａと透明板扉枠４の係止孔２０との係合深度を意味する。遊技盤用突片６１は、先端を遊技盤１０の装着時に係受部２８に係合し易くするガイド部７０としてテーパー状に形成し、その先端部の後端に遊技盤１０の前面に当接する係止部６１ａを有する上向き鉤状に形成されている。なお、取付基板５１の支持板５１ｃと遊技盤用突片６１の係止部６１ａとの間隔を遊技盤１０の厚みより大きく設定し、遊技盤１０が支持板５１ｃと係止部６１ａとの間に僅かに遊びを持たせて保持される。この遊びによって、シリンダ錠５２を解錠操作して作動杆５５を摺動させる際に、係止部６１ａと遊技盤１０との接触摩擦が少なくなり、シリンダ錠５２による解錠操作をしやすくすることができる。また、上方に位置する遊技盤用突片６１にはガイド部７０が面状に屈曲して設けられ、この面状のガイド部７０を操作片７１として作動杆５５を前面側から操作し得るようにしている。このように、ガイド部７０を面状に形成することで、遊技盤１０の装着時にガイド部７０と係受部２８との接触面積が多くなり、ガイド部７０と接触する係受部２８が部分的に摩耗することなく、遊技盤１０によって確実に作動杆５５を作動させ、係受部２８に遊技盤用突片６１を係合しやすくすることができる。また、作動杆５５を前面側から操作する操作片又は操作レバーを遊技盤用突片６１と別途設けるようにしてもよい。なお、実施例において遊技盤用突片６１を上下に複数設けるようにしたが、遊技盤用突片６１の数は限定されるものではなく１ヶ所で遊技盤１０を係止固定するようにしてもよい。また、扉枠用突片６０は鉤状に限定されるものではなく、透明板扉枠４側に遊技盤１０側に向かって突出する鉤状突片を設けて、作動杆５５に該鉤状突片が係止する係止片又は係止孔を設けるようにしてもよい。
【００３１】
前記シリンダ錠５２は、取付基板５１の補強板５１ｂに開設した透孔に挿通しフランジ部５２ａを補強板５１ｂにビス着して固定され、フランジ部５２ａにカム板５３の回動を規制する規制手段としてストッパ７２ａ，７２ｂを突設している。そして、カム板５３は、施錠杆５４の係止段部６２に係止する前面枠解錠爪７３と作動杆５５の凹欠係止部６８に係止する扉枠解錠爪７４とを有し、鍵Ｋの操作により操作力を施錠杆５４又は作動杆５５に伝達して、機枠用突片５８又は扉枠用突片６０を解錠方向に摺動させる。このとき、鍵Ｋの操作によってシリンダ錠５２を回動させても、カム板５３がストッパ７２ａ，７２ｂにより回動規制されることにより、施錠杆５４及び作動杆５５がそれ以上摺動することはなく、機構板１２及び遊技盤１０は係合を解除されることはない。この実施例において、機構板用突片５９は、施錠杆５４を手で摺動操作することにより、係合孔３４との係合を解除して機構板１２を開放し得るようにしている。また、遊技盤用突片６１は、作動杆５５を手で摺動操作することにより、係受部２８との係合を解除して遊技盤１０を遊技盤保持枠１１から取外し得るようにしている。なお、実施例において施錠杆５４を施錠方向に付勢するスプリング５６と作動杆５５を施錠方向に付勢するスプリング５７とを別途設けるようにしたが、施錠杆５４及び作動杆５５をそれぞれ施錠方向と反対方向への移動を規制する阻止片を取付基板５１に設け、施錠杆５４及び作動杆５５を互いに施錠方向に付勢するように、例えばスプリングの一端を施錠杆５４に固着し、他端を作動杆５５に固着するようにして、１つの弾性部材を共有させることによって部品点数を減らすことも可能である。
【００３２】
このように構成された施錠装置５は、シリンダ錠５２の先端を前面枠３の前面に露呈させ、補強板５１ｂを前面枠３の裏面に添設すると共に取付板５１ａの上方の取着片５１ｅを遊技盤保持枠１１の上部枠１１ａの上端に重合させ、下方の取着片５１ｅを下部枠１１ｂの下面端部に重合させてビス着することにより取付けられる。
【００３３】
次に、上記構成の施錠装置５による前面枠３及び透明板扉枠４の施錠作用について説明する。先ず、透明板扉枠４を前面枠３に対して閉鎖施錠するには、透明板扉枠４の自由端を前面枠３側に押すと、該透明板扉枠４の係止孔２０が扉枠用突片６０の先端傾斜部に当接して、スプリング５７の付勢に抗して作動杆５５を下動させる。そして、前記扉枠用突片６０がスプリング５７の復帰弾性により係止孔２０に係合することで、図１４に示すように透明板扉枠４が前面枠３に対して確実に閉鎖状態を保持される。また、前面枠３を機枠２に対して閉鎖施錠するには、前面枠３の自由端を機枠２側に押すと、上下機枠用突片５８，５８が機枠２の受金具１４，１４に当接して、スプリング５６の付勢に抗して施錠杆５４を上動させる。そして、機枠用突片５８，５８がスプリング５６の復帰弾性により受金具１４，１４に係合することで、図１５に示すように前面枠３の開放側が機枠２に対しほぼ密着状に閉塞保持される。
【００３４】
次に、前記施錠装置５の解錠操作について説明する。まず前面枠３を解錠するには、鍵Ｋの解錠操作によりカム板５３を図１３（イ）矢印方向に回動させると、前面枠解錠爪７３が施錠杆５４の係止段部６２に係止して、カム板５３の操作力をスプリング５６の付勢に抗して施錠杆５４に伝達して機枠用突片５８，５８を上方に摺動させる。すると、図１５鎖線に示すように機枠用突片５８，５８と受金具１４，１４との係合が解除されて、前面枠３を簡単に開放させることができる。このとき、カム板５３はストッパ７２ａに当接してそれ以上の回動が阻止され、施錠杆５４は機枠用突片５８の解錠範囲つまり遊挿長孔６５の範囲内を上動するだけであり、遊挿長孔６５の下端で頭付ピン６６を上動させても機構板用突片５９を上動させることはなく、機構板用突片５９と係合孔３４との係合が解除して無用に機構板１２を開放させることはない。また、透明板扉枠４を解錠操作するには、鍵Ｋの解錠操作によりカム板５３を図１３（ロ）矢印方向（前記前面枠３の解錠方向と反対方向）に回動させると、扉枠解錠爪７４が作動杆５５の凹欠係止部６８に係止して、カム板５３の操作力をスプリング５７の付勢に抗して作動杆５５に伝達して扉枠用突片６０を下方に摺動させる。すると、図１４鎖線に示すように扉枠用突片６０と係止孔２０との係合が解除されて、透明板扉枠４を簡単に開放することができる。このとき、遊技盤用突片６１も連動するが、カム板５３はストッパ７２ｂに当接してそれ以上の回動が阻止され、作動杆５５はそれ以上摺動することはなく、扉枠用突片６０の係止部６０ａより遊技盤用突片６１の係止部６１ａの係止量を大きくしているため、遊技盤１０との係合が解除されることはない。
【００３５】
次に、機構板１２の自由端側の施錠及び解錠操作について説明する。機構板１２がヒンジ機構１３により開閉自在に装着された状態で、機構板１２を遊技盤１０に密着させるように自由端側を閉鎖すると、下向き鉤状の機構板用突片５９の先端傾斜辺が係合孔３４に当接し、さらに機構板１２を遊技盤１０側に押付けると、スプリング５６，６７の付勢に抗して前記傾斜辺により機構板用突片５９がガイド長孔６４に沿って上動する。このとき、頭付ピン６６が遊挿長孔６５の上端に位置していることから施錠杆５４も同時に上動し、機枠用突片５９の解錠範囲を越して上動するが、機構板１２の開閉は、図１６に示すように前面枠３を開放した状態で行うため、施錠杆５４が上動することにより機枠用突片５８が上動しても何等問題となることはない。そして、機構板１２が遊技盤１０に密着状態になると、機構板用突片５９がスプリング５６，６７の復帰弾性により係合孔３４に係合して機構板１２が遊技機１０の裏面に密着固定される。
【００３６】
また、前記機構板１２を開放させるには、先ず前面枠３をシリンダ錠５２の解錠操作により開放して、前面枠３の後方に位置する施錠杆５４の操作部６３を操作して、施錠杆５４をスプリング５６，６７の付勢に抗して解錠方向（実施例において上方向）に摺動させると、図１６鎖線に示すように遊挿長孔６５の下端が頭付ピン６６に当接して機構板用突片５９を上動させる。すると、機構板用突片５９と係合孔３４との係合が上下同時に解除され、その状態で機構板１２を開放させることができる。
【００３７】
次に、遊技盤１０の装着について説明する。遊技盤１０を遊技盤保持枠１１に装着するには、透明板扉枠４を開放した状態で、設置領域２２の前面側から遊技盤１０の左側方を支持板４６と弾性片４８との間の保持部７５に挿入させる。このとき、図１１に示すように弾性片４８の先端が屈曲片４７内に位置して傾斜面に形成されていることによって、遊技盤１０の側端をガイドして、支持板４６と弾性片４８との間にスムーズに嵌挿させることができ、弾性片４８によって遊技盤１０の一側端を保持部７５に確実に押圧固定することができる。そして、遊技盤１０の右側方を設置領域２２に収納させるように押し込むと、凹欠きした係受部２８の端部が遊技盤用突片６１のテーパー状のガイド部７０に接触することで、作動杆５５がスプリング５７の付勢に抗して遊技盤用突片６１と共に下動する。そして、遊技盤１０の後面が支持板５１ｃに当接するとスプリング５７の付勢により作動杆５５が復帰し、遊技盤用突片６１の係止部６１ａが係受部２８の端部に係合して、遊技盤１０が遊技盤保持枠１１に簡単に装着され、取付基板５１の弾性片５１ｅにより遊技盤１０の側面のほぼ３等分した位置を弾力的に押圧し、遊技盤１０の横方向のがたつきが確実に防止される。このとき、弾性片４８及び弾性片５１ｅが遊技盤１０に当接する個所を凹欠きして、遊技盤１０の装着時に凹欠き部に弾性片４８及び弾性片５１ｅが嵌り、弾性片４８及び弾性片５１ｅが凹欠き部の上部に当接して上方向の動きが規制されることにより、遊技盤１０の上動を規制するようにしてもよい。また、作動杆５５は扉枠用突片６０の解錠範囲を越して下動するが、透明板扉枠４はすでに開放されているので何ら影響はない。そして、透明板扉枠４を閉じると、透明板扉枠４に設けられた押え部材２１が遊技盤１０の表面を弾力的に押圧することで、遊技盤１０が遊技盤保持枠１１に確固と保持される。なお、上枠部１１ａと下枠部１１ｂとの後方周縁に、遊技盤１０を前面側から装着する際に、遊技盤１０の後面を位置決め支持する支持部としての支持片を開口の中心に向かうように立設するようにしてもよい。
【００３８】
次に、遊技盤１０を遊技盤保持枠１１から取外すには、まず鍵Ｋによりシリンダ錠５２を回動して透明板扉枠４を解錠すると、押え部材２１の弾発力により透明板扉枠４の自由端が開放する。このシリンダ錠５２の解錠操作により、同時に遊技盤用突片６１も下動するが、扉枠用突片６０の係止部６０ａの係止量より遊技盤用突片６１の係止部６１ａの係止量の方が大きく設定されているため、遊技盤用突片６１と遊技盤１０の係受部２８との係合が解除されることはなく、遊技盤１０が無用に遊技盤保持枠１１から外れることはない。そして、透明板扉枠４の開放状態で操作片７１を操作して作動杆５５を下動させると、遊技盤用突片６１が連動して係受部２８との係止を解除する。この状態で、遊技盤１０の右端を手前に引き出して、遊技盤１０の左端を支持板４６と弾性片４８間の保持部７５から引き抜いて遊技盤１０を遊技盤保持枠１１から取外すことができる。
【００３９】
なお、この実施例においてシリンダ錠５２の回動量をストッパ７２ｂにより規制し、作動杆５５が扉枠用突片６０の解錠範囲を移動するようにしたが、ストッパ７２ｂによる回動規制をなくして、透明板扉枠４を解錠させた後にさらにシリンダ錠５２を回動することにより遊技盤１０の係止を解除させることも可能である。このとき、ストッパ７２ｂに替えて解錠確認突起を設け、透明板扉枠４の解錠時にカム板５３が突起に接触して一旦回動の抵抗となり、一気に遊技盤１０を解錠しないようにカム板５３が段階的に回動するようにするのが好ましい。また、透明板扉枠４の裏面から遊技盤用突片６１の下方に位置するように突出する規制片を設けて、遊技盤用突片６１の下動を規制するようにしてもよい。この規制片は、透明板扉枠４が閉鎖状態で遊技盤用突片６１の下方に臨み、作動杆５５がシリンダ錠５２により透明板扉枠４が解錠されても、遊技盤用突片６１が規制片に当接してそれ以上に摺動するのを阻止される。そして、透明板扉枠４が開放されることによってその規制が解除され、シリンダ錠５２によって遊技盤用突片６１の解錠操作ができるようになる。また、この規制片に、前記した遊技盤１０を押圧する押え部材２１の機能を付加するようにしてもよい。
【００４０】
このように、遊技盤１０の側面を施錠装置５及びヒンジ機構１３に当接保持させるようにしたので、今まで保持枠によって遊技盤１０の側面を保持されていたパチンコ機に比して、遊技盤１０を横方向に大型化して遊技領域１０ａを広くすることができ、近年遊技の興趣を向上させるために望まれる表示装置の大型化等に対応することができる。また、遊技盤１０を遊技盤保持枠１１に保持させる係止手段を透明板扉枠４等の施錠装置５に設けるようにしたので、遊技盤１０を固定する固定具等の部品点数を減らすことができ、コストの低減化を図ることができる。このとき、係止手段としての遊技盤用突片６１の先端をテーパー状のガイド部７０に形成することで、遊技盤１０を遊技盤設置領域２２に押し込むだけで簡単に装着することができ、遊技盤１０を取付ける作業性が向上する。
【００４１】
なお、実施例において、遊技盤１０の一側を支持板４６と弾性片４８との間の保持部７５に挟着保持するようにして、他側を施錠装置５に設けた遊技盤用突片６１により係止するようにしたが、その固定手段に限定されるものではなく、遊技盤１０の一側をヒンジ機構１３の連結部材４１に回動自在に軸支して、他側は別途設ける遊技盤固定具により取付けるようにしてもよく、その際、取付基板５１に予め遊技盤固定具が装着できるように取付部を形成しておくのが好ましい。なお、このとき、遊技盤１０の軸支側は機構板１２のヒンジ機構１３でも説明したが、遊技盤１０を回動自在に装着する際に軸ピンの軸線が軸孔内に位置するように位置決めするガイド部を設け、遊技盤１０の装着作業を効率よくさせるのがよい。
【００４２】
また、図１８は遊技盤用突片６１の係止部６１ａを板状の係止面として形成し、その係止面に遊技盤１０の前面を押圧すると共に遊技盤１０との接触摩擦抵抗を軽減する軽摩擦手段を設けた実施例を示している。具体的には軽摩擦手段として支持ローラ７６を設けており、係止面のほぼ中央を開口して支持ローラ７６の軸受片７８を起立させ、軸受片７８に支持ローラ７６を遊技盤用突片６１の摺動方向に回転自在に軸支している。支持ローラ７６は樹脂性であっても金属製であってもよい。このように、係止面６１ａに支持ローラ７６を設けることで遊技盤１０を確実に設置領域２２に押圧係止することができると共に、鍵により透明板扉枠４を開放操作する際にも、遊技盤１０との接触抵抗を小さくすることができる。なお、遊技盤用突片６１と遊技盤１０との係合時の支持ローラ７６の接触位置、つまり係受部２８の端部から支持ローラ７６の接触位置までの距離は、透明板扉枠４の解錠操作範囲より大きく設定され、透明板扉枠４を解錠しても支持ローラ７６が係受部２８から外れないように位置するように設定している。このため、透明板扉枠４の解錠操作に負荷をかけることなくスムーズに行うことができ、しかも遊技盤１０を押さえつける押え部材２１を設けなくてもよい。また、支持ローラ７６にかえて、軽摩擦手段として係止面６１ａにベアリングを設けるようにしても、遊技盤１０との接触抵抗を小さくすることができ、支持ローラ７６同様の効果を奏することができる。
【００４３】
なお、実施例において、遊技盤用突片６１と扉枠用突片６０とを作動杆５５に一体的に設け、係止部６０ａ，６１ａの係止方向を同一方向としたが、扉枠用突片６０の係止方向を遊技盤用突片６１の係止方向と逆方向となるようにしてもよく、取付基板５１に対して扉枠用突片６０の中間部を軸支して上下方向に回動自在に設け、扉枠用突片６０の一端を作動杆５５に軸支することで、作動杆５５の同一方向の摺動で係止部６０ａ，６１ａの係止方向を逆方向にすることができる。つまり、作動杆５５を可動させると扉枠用突片６０は上向き回動して透明板扉枠４の係止孔２０との係合を解除し、さらに、作動杆５５を下動させることにより遊技盤１０と遊技盤用突片６１との係合を解除することができる。また、扉枠用突片６０を回動自在に設けることで、その軸支位置を変えることにより扉枠用突片６０の回動量を調整することができ、作動杆５５の僅かな移動量で係止部６０ａを多く可動させることができる。そのため、遊技盤用突片６１の係止部６１ａを扉枠用突片６０の係止部６０ａの解除移動量より僅かに大きくすればよく、遊技盤用突片６１をコンパクトにすることができる。
【００４４】
また、扉枠用突片６０の係止部６０ａと遊技盤用突片６１の係止部６１ａの長さを異ならせることによりそれぞれの係止量を異ならせ、透明板扉枠４が遊技盤１０より先に係合が解除されるようにしたが、扉枠用突片６０及び遊技盤用突片６１の係止部６０ａ，６１ａを同一長さに形成し、遊技盤用突片６１の係止部６１ａが係止し得る遊技盤１０の係受部２８の長さを扉枠用突片６０の係止部６０ａが係止し得る透明板扉枠４の係止孔２０の長さより長く形成したとしても、それぞれの係止量を異ならせることができ透明板扉枠４が先に解錠されその後に遊技盤１０の係合が解除させることができる。その際、扉枠用突片６０の係止部６０ａが所定以上に係止しないように扉枠用突片６０自体を規制するようにしてもよく、係止孔２０に係止部６０ａの係止量を規制する段状の規制部等の規制手段を設けるのが好ましく、係止部６０ａが規制部に規制され所定以上に係止しないようにするのがよい。
【００４５】
なお、前記実施例において、遊技盤１０をパチンコ機１の前面側から装着するようにしたが、遊技盤保持枠１１の後面側から装着することも可能である。このとき、施錠装置及びヒンジ機構に設けた支持板４６，５１ｃは遊技盤設置領域２２の前面側に位置して設けるようにすればよい。
【００４６】
また、施錠装置５は実施例に限定されるものではなく、前記板状部材３８の開放端を施錠する施錠具を設けても、上部球受皿７を備えた前板６の施錠具を設けるようにしてもよい。このように、施錠装置５にパチンコ機１に開閉自在に装着される扉体の施錠具を一括して設けることで、組付け工程を簡素化することができ、スペースの有効利用が図られる。また、施錠装置５は、従来の前面枠３及び透明板扉枠４の開閉のみを行うものであってもよい。さらに、実施例において、シリンダ錠５２により解錠操作を行うようにしたが、シリンダ錠５２を使用することなくホールコンピュータの指令により作動し施錠杆５４及び作動杆５５を直接操作する作動装置を設け、作動装置を遠隔操作することによって施錠杆５４及び作動杆５５を作動させて、前面枠３又は透明板扉枠４を開放させるようにしてもよい。
【００４７】
なお、実施例においてパチンコ遊技機をパチンコ機として説明したが、パチンコ遊技機として雀球遊技機，アレンジボール機，通称「パロット」といわれる回動式遊技機等のようにパチンコ球を使用して遊技し、遊技盤を着脱自在に備えたものであればよい。
【図面の簡単な説明】
【００４８】
【図１】パチンコ機の正面図である。
【図２】パチンコ機の裏面図である。
【図３】前面枠を開放した状態を示す裏面斜視図である。
【図４】透明板扉枠を開放し遊技盤を外した状態の斜視図である。
【図５】前面枠の斜視図である。
【図６】前面枠から機構板を開放した状態の要部斜視図である。
【図７】施錠装置の斜視図である。
【図８】施錠装置の分解斜視図である。
【図９】施錠装置を示すパチンコ機の要部平断面図である。
【図１０】ヒンジ機構の分解斜視図である。
【図１１】図１０の要部断面図である。
【図１２】機構板から可動ヒンジ部材を外した斜視図である。
【図１３】（イ），（ロ）はカム板の作用説明図である。
【図１４】透明板扉枠の解錠を示す作用説明図である。
【図１５】前面枠の解錠を示す作用説明図である。
【図１６】機構板の係合解除を示す作用説明図である。
【図１７】遊技盤の係合解除を示す作用説明図である。
【図１８】（イ）は遊技盤用突片の他の実施例を示す斜視図であり、（ロ）は遊技盤用突片の係合を示す断面図である。
【符号の説明】
【００４９】
１                  パチンコ機（パチンコ遊技機）
２                  機枠
３                  前面枠
５                  施錠装置
１０                遊技盤
１１                遊技盤保持枠
１１ａ              上枠部
１１ｂ              下枠部
５１                取付基板
５８                機枠用突片（鉤片）
【図１】
2005319032.tif 000003
【図２】
2005319032.tif 000004
【図３】
2005319032.tif 000005
【図４】
2005319032.tif 000006
【図５】
2005319032.tif 000007
【図６】
2005319032.tif 000008
【図７】
2005319032.tif 000009
【図８】
2005319032.tif 000010
【図９】
2005319032.tif 000011
【図１０】
2005319032.tif 000012
【図１１】
2005319032.tif 000013
【図１２】
2005319032.tif 000014
【図１３】
2005319032.tif 000015
【図１４】
2005319032.tif 000016
【図１５】
2005319032.tif 000017
【図１６】
2005319032.tif 000018
【図１７】
2005319032.tif 000019
【図１８】
2005319032.tif 000020